(57)【要約】【課題】作業定盤を運用するにあたって、スペースを有効活用でき、正確性に優れ、作業の安全性を確保することが可能なパネル昇降移動装置を提供する。【解決手段】パネル昇降移動装置は、作業定盤１の先端側のパネル２を搭載して下降し、その後パネル２を搭載しない状態で上昇する昇降部３と、昇降部３によって下降したパネル２を受け取って作業定盤１の下側で移動する移動部４と、作業定盤１を昇降部３方向に送って変位させるとともに、作業定盤１の下側で待機する移動部４に搭載されたパネル２を受け取って上昇し、その後パネル２を搭載しない状態で下降する送り昇降部５とを備えている。【選択図】図１
0003204840.tif 000002
【実用新案登録請求の範囲】
【請求項１】
複数のパネルが連続的に配列されて形成される作業定盤の先端側のパネルを搭載して下降し、その後パネルを搭載しない状態で上昇する昇降部と、前記昇降部によって下降したパネルを受け取って作業定盤の下側で移動する移動部と、作業定盤を前記昇降部方向に送って変位させるとともに、作業定盤の下側で待機する前記移動部に搭載されたパネルを受け取って上昇し、その後パネルを搭載しない状態で下降する送り昇降部とを備えていることを特徴とするパネル昇降移動装置。
【請求項２】
前記昇降部は、パネルを搭載する昇降台車と、前記昇降台車を昇降させる第一のアクチュエーターとを備えていることを特徴とする請求項１記載のパネル昇降移動装置。
【請求項３】
前記送り昇降部は、コンベアーが設けられパネルを搭載する送り台車と、コンベアーの回転を駆動する駆動モーターと、送り台車を昇降させる第二のアクチュエーターとを備え、送り台車はコンベアーの回転に伴って移動し作業定盤の端部を押して作業定盤を送る押しブロックを備えていることを特徴とする請求項１または２記載のパネル昇降移動装置。
【請求項４】
前記移動部は、前記昇降部によって下降したパネルを搭載して作業定盤の下側で移動し、前記送り昇降部にパネルを受け渡した後、前記昇降部の位置に戻る移動台車を備えていることを特徴とする請求項１から３のいずれかに記載のパネル昇降移動装置。
【請求項５】
前記作業定盤を支持する受けローラーを備えるとともに、前記作業定盤の位置決めを行う位置決めローラーを備えており、位置決めローラーの外周側の一部が入り込む窪みが設けられた位置決めブラケットを備えていることを特徴とする請求項１から４のいずれかに記載のパネル昇降移動装置。
【考案の詳細な説明】
【技術分野】
【０００１】
本考案は、作業定盤上にて船殻ブロック作業のような船体の組み立て作業や、その他の構造物の組み立て作業を行う際に使用されるパネル昇降移動装置に関する。
【背景技術】
【０００２】
船殻ブロック作業のような船体の組み立て作業や、その他の大型構造物の組み立て作業を行うにあたっては、作業定盤を構成するパネル上でそれぞれの組み立て作業がなされる。特許文献１には、船殻ブロック組立て搬送装置の一例が開示されている。
【先行技術文献】
【特許文献】
【０００３】
【特許文献１】特開平６−３２１１７４号公報
【考案の概要】
【考案が解決しようとする課題】
【０００４】
作業定盤は、複数のパネルが連続的に配列されて形成されており、それぞれのパネル上で、異なる種類の加工組み立て作業が連続的に行われる。作業定盤上でなされる組み立て作業は、船舶のように巨大で重量が重く、複雑な構造を有する大型構造物を製作するためになされるため、作業性の向上と安全性の確保が求められている。
【０００５】
作業定盤の先端側のパネル上のブロックが出荷された後、空になったパネルは、天井クレーンで吊り上げて反対側に移動させて組み立て作業が行われるのが通常であった。しかし、天井クレーンを用いると、天井クレーンを設置するスペースが必要となる。また、作業定盤を構成するパネルは、船舶等の大型構造物を組み立てるために使用される物であるため、それ自体が重いものであり、これを天井クレーンで吊り上げると、落下等による危険性もある。
【０００６】
また、作業定盤の送りは、作業定盤の下側に設置された受けローラーが回転することによってなされることが通常であったが、受けローラーの回転によると、作業定盤の送り量を正確に設定することが難しく、作業定盤の運用の正確性に問題があった。
【０００７】
本考案は、このような事情を考慮してなされたもので、作業定盤を運用するにあたって、スペースを有効活用でき、正確性に優れ、作業の安全性を確保することが可能なパネル昇降移動装置を提供することを目的とする。
【課題を解決するための手段】
【０００８】
以上の課題を解決するために、本考案のパネル昇降移動装置は、複数のパネルが連続的に配列されて形成される作業定盤の先端側のパネルを搭載して下降し、その後パネルを搭載しない状態で上昇する昇降部と、前記昇降部によって下降したパネルを受け取って作業定盤の下側で移動する移動部と、作業定盤を前記昇降部方向に送って変位させるとともに、作業定盤の下側で待機する前記移動部に搭載されたパネルを受け取って上昇し、その後パネルを搭載しない状態で下降する送り昇降部とを備えていることを特徴とする。
【０００９】
作業定盤の先端側に位置する空のパネルは、昇降部に搭載されて下降した後、移動部によって作業定盤の下側を移動する。送り昇降部は、作業定盤を昇降部方向に送って変位させるとともに、作業定盤の下側で待機する移動部に搭載されたパネルを受け取って上昇する機能を持っており、送り昇降部の動作によって、空のパネルが作業定盤の所定の位置に配置される。
【００１０】
このように、昇降部と移動部と送り昇降部の一連の動作によって、空のパネルは、作業定盤の先端側の位置から作業定盤の下側を通って、これと反対側の位置に移動し、この空のパネルで新たな組み立て作業が実施されることとなる。作業定盤の下側の空間はもともと存在している空間であり、この空間を有効利用できるため、従来のように、天井クレーンで吊り上げる場合のように、空のパネルを移動させる装置を設置するための新たな空間を設けることを必要としないため、組み立て作業の効率化が図られる。また、天井クレーンで吊り上げる場合のように、移動中にパネルが落下する心配がなく、作業の安全性を確保することができる。
【００１１】
本考案のパネル昇降移動装置においては、前記昇降部は、パネルを搭載する昇降台車と、前記昇降台車を昇降させる第一のアクチュエーターとを備えている構造とすることができる。
【００１２】
また、本考案のパネル昇降移動装置においては、前記送り昇降部は、コンベアーが設けられパネルを搭載する送り台車と、コンベアーの回転を駆動する駆動モーターと、送り台車を昇降させる第二のアクチュエーターとを備え、送り台車はコンベアーの回転に伴って移動し作業定盤の端部を押して作業定盤を送る押しブロックを備えている構造とすることができる。
【００１３】
送り台車は、作業定盤を横方向に送る機能と、パネルを搭載して上昇しその後パネルを搭載せずに下降する機能とを有する。作業定盤を横方向に送る際の送り量は、予め設定しておくことができ、この送り量に基づいて押しブロックが作業定盤を送るため、作業定盤の送りを正確に行うことができる。
【００１４】
また、本考案のパネル昇降移動装置においては、前記移動部は、前記昇降部によって下降したパネルを搭載して作業定盤の下側で移動し、前記送り昇降部にパネルを受け渡した後、前記昇降部の位置に戻る移動台車を備えている構造とすることができる。
【００１５】
本考案のパネル昇降移動装置においては、前記作業定盤を支持する受けローラーを備えるとともに、前記作業定盤の位置決めを行う位置決めローラーを備えており、位置決めローラーの外周側の一部が入り込む窪みが設けられた位置決めブラケットを備えている構造とすることができる。
【００１６】
受けローラーは、作業定盤を下側で支えるためのものである。また、位置決めローラーによって、パネルを適正な位置に搭載してパネルの位置ずれを防止でき、送り昇降部の送り動作の際に、パネルが行き過ぎて位置がずれることを防止することができる。位置決めブラケットの窪みに位置決めローラーの外周側の一部が入り込むことによって、作業定盤の位置決めがなされる。
【考案の効果】
【００１７】
本考案によると、作業定盤を運用するにあたって、スペースを有効活用でき、正確性に優れ、作業の安全性を確保することが可能なパネル昇降移動装置を実現することができる。
【図面の簡単な説明】
【００１８】
【図１】本考案の実施形態に係るパネル昇降移動装置の構成を示す図である。
【図２】本考案の実施形態に係るパネル昇降移動装置の動作の説明図である。
【図３】本考案の実施形態に係るパネル昇降移動装置の動作の説明図である。
【図４】本考案の実施形態に係るパネル昇降移動装置の動作の説明図である。
【図５】本考案の実施形態に係るパネル昇降移動装置の動作の説明図である。
【図６】受けローラーと位置決めローラーの配置状況を示す図である。
【図７】位置決めローラーの詳細図である。
【考案を実施するための形態】
【００１９】
以下に、本考案のパネル昇降移動装置を、その実施形態に基づいて説明する。
図１に、本考案の実施形態に係るパネル昇降移動装置の構成を示しており、図１に示す状態が定位置の状態である。図１（ａ）は、作業定盤とパネル昇降移動装置の平面図であり、図１（ｂ）は、その正面図である。
【００２０】
船殻ブロック作業のような船体の組み立て作業や、その他の構造物の組み立て作業を行う際に使用される作業定盤１は、複数のパネル２が連続的に配列されて形成されている。
パネル昇降移動装置は、作業定盤１の先端側のパネル２を搭載して下降し、その後パネル２を搭載しない状態で上昇する昇降部３と、昇降部３によって下降したパネル２を受け取って作業定盤１の下側で移動する移動部４と、作業定盤１を昇降部３方向に送って変位させるとともに、作業定盤１の下側で待機する移動部４に搭載されたパネル２を受け取って上昇し、その後パネル２を搭載しない状態で下降する送り昇降部５とを備えている。
【００２１】
昇降部３は、パネル２を搭載する昇降台車６と、昇降台車６を昇降させる第一のアクチュエーター７とを備えている。移動部４は、昇降部３によって下降したパネル２を搭載して作業定盤１の下側で移動し、送り昇降部５にパネル２を受け渡した後、昇降部３の位置に戻る移動台車８を備えている。図１においては、作業定盤１の先端側のパネル２が昇降台車６に搭載され、移動部４を構成する移動台車８は、昇降台車６の下方に配置されている。第一のアクチュエーター７として、油圧アクチュエーターを用いることができる他、電気的に駆動するものを用いることもできる。
【００２２】
送り昇降部５は、コンベアー９が設けられ、パネル２を搭載する送り台車１０と、コンベアー９の回転を駆動する駆動モーター１１と、送り台車１０を昇降させる第二のアクチュエーター１２とを備えている。送り台車１０は、コンベアー９の回転に伴って送り台車１０上を移動し作業定盤１の端部１３を押して作業定盤１を送る押しブロック１４を備えている。送り台車１０の端部には、コンベアー９の緩みを防止する緊張装置１５が取り付けられている。コンベアー９は、ベルトコンベアーやチェーンコンベアーのように、物を連続的に一定の距離だけ運搬する自動装置であれば、何であってもよい。第二のアクチュエーター１２として、油圧アクチュエーターを用いることができる他、電気的に駆動するものを用いることもできる。
【００２３】
昇降台車６は、２つの板状の台が対向して形成されており、その間に形成される空隙に移動台車８が収容できる構造となっている。昇降台車６はまた、外側の端部を連結してコの字型の枠体形状とすることもできる。いずれの場合も、作業定盤１の中央部側方向に開口しているため、移動台車８の出入りが可能な構造となっている。
【００２４】
同様に、送り台車１０は、２つの板状の台が対向して形成されており、その間に形成される空隙に移動台車８が収容できる構造となっている。送り台車１０はまた、外側の端部を連結してコの字型の枠体形状とすることもできる。いずれの場合も、作業定盤１の中央部側方向に開口しているため、移動台車８の出入りが可能な構造となっている。
【００２５】
作業定盤１の下側には、作業定盤１を支持する受けローラー１６が設けられている。また、パネル２の各々の下側に位置決めローラー１７を備えている。受けローラー１６は、昇降部３と送り昇降部５が配置される両端側のパネル２を除いた中央部側の作業定盤１の全域の下方側に取付けられている。また、受けローラー１６は、昇降台車６と送り台車１０にも取り付けられており、昇降台車６と送り台車１０にパネル２が搭載される際に、パネル２を支持する構造となっている。
【００２６】
昇降部３と送り昇降部５に設けられた位置決めローラー１７によって、昇降部３と送り昇降部５の昇降動作の際に、パネル２は適正な位置に搭載され、パネル２の位置ずれを防止できる。また、各々のパネル２の下方側に取付けられた位置決めローラー１７は、送り昇降部５の送り動作の際に、パネル２が行き過ぎて位置がずれることを防止するストッパー機能を有する。位置決めローラー１７の構造については、後に詳述する。
【００２７】
図２から図５に基づいて、本考案の実施形態に係るパネル昇降移動装置の動作を説明する。
図２は、先端側のパネル２上のブロックの出荷後、昇降台車６が作業定盤１の先端側の空のパネル２を搭載して下降した状態を示している。昇降台車６は、移動台車８を収容できる空隙を有する構造であるため、昇降台車６が移動台車８の高さまで下降した際に、移動台車８は昇降台車６内に収容される構造となっている。そのため、昇降台車６と移動台車８とは干渉しない構造となっており、昇降台車６に搭載されて下降したパネル２は、移動台車８に搭載された状態となる。また、昇降台車６は、作業定盤１の中央部側方向に開口した開口部を有しているため、移動台車８はこの開口部を通って移動する。この動作によって、パネル２は昇降台車６から移動台車８へ受け渡される。
【００２８】
図３は、パネル２を搭載した移動台車８が送り昇降部５方向に移動して待機している状態を示している。移動台車８は、昇降台車６から受け渡されたパネル２を搭載して、送り昇降部５方向に移動し、作業定盤１の下側の所定の位置で待機する。パネル２を移動台車８に受け渡した昇降台車６は、空の状態で下降前の高さまで上昇する。送り台車１０の押しブロック１４は、コンベアー９の回転に伴って送り台車１０上を移動し、作業定盤１の端部１３を押して作業定盤１を送る。この動作により、作業定盤１が搬送される。
【００２９】
作業定盤１を横方向に送る際の送り量は、パネル２の大きさを考慮して電気的な制御系を用いて予め設定しておくことができ、この送り量に基づいて押しブロック１４が作業定盤１を送るため、作業定盤１の送りを正確に行うことができる。昇降台車６、移動台車８、送り台車１０の動作も、センサーを用いた電気的な制御系によって管理することができるため、完全な自動化が可能である。
【００３０】
図４は、送り台車１０が下降した状態を示している。図４に示す時点では、押しブロック１４による作業定盤１の送り動作が終了しており、押しブロック１４はもとの位置に戻っている。この時点ではまだ、移動台車８はパネル２を搭載して、送り昇降部５方向に移動した状態で、作業定盤１の下側の所定の位置で待機している。
【００３１】
図５は、送り台車１０にパネル２が搭載された状態を示している。
パネル２を搭載した移動台車８は、送り台車１０に収容されて、パネル２を送り台車１０に受け渡す。送り台車１０は、移動台車８を収容できる空隙を有しており、移動台車８が送り台車１０の位置に達した際に、移動台車８は送り台車１０内に収容される構造となっている。そのため、送り台車１０と移動台車８とは干渉しない構造となっており、移動台車８に搭載されて移動したパネル２は、送り台車１０に搭載された状態となる。これにより、パネル２は移動台車８から送り台車１０へ受け渡される。送り台車１０は、作業定盤１の中央部側方向に開口した開口部を有しているため、空になった移動台車８はこの開口部を通って昇降台車６方向に移動できる。
【００３２】
その後、送り台車１０は上昇して、移動台車８に搭載されて移動してきたパネル２は、送り台車１０に受け渡され、空のパネル２が作業定盤１の所定の位置に配置される。また、移動台車８は、昇降台車６の下方のもとの位置に戻って、図１に示す定位置の状態になり、パネル昇降移動装置の動作が一巡する。
【００３３】
図６に、受けローラー１６と、位置決めローラー１７の配置状況を示す。図６（ａ）は、パネル２の平面図、図６（ｂ）はその正面図、図６（ｃ）はその側面図である。
受けローラー１６は、パネル２の下側の端部に、パネル２の下面に当接するように複数設けられている。また、位置決めローラー１７は、パネル２に取付けられた位置決めブラケット１８に当接するように設けられている。
【００３４】
図７は、位置決めローラー１７の詳細図である。図７（ａ）は、位置決めブラケット１８の詳細図であり、図７（ｂ）は、位置決めローラー１７と位置決めブラケット１８の詳細図であり、図７（ｃ）は、図６（ｃ）のＡ部分の拡大詳細図である。
【００３５】
位置決めブラケット１８には、下側中央部に窪み１９が設けられている。パネル２が送られて位置決めブラケット１８の下面が位置決めローラー１７に当接し、位置決めローラー１７の外周側の一部が位置決めブラケット１８の窪み１９に入り込むことによって、パネル２の位置決めがなされ、パネル２が適正な位置に設定される。
【００３６】
図７（ｃ）に示すものでは、受けローラー１６と位置決めローラー１７は、同軸に形成されているが、位置決めローラー１７を設置する位置関係やその他の状況によって、受けローラー１６と位置決めローラー１７との位置関係は適宜選択できる。
【産業上の利用可能性】
【００３７】
本考案は、作業定盤を運用するにあたって、スペースを有効活用でき、正確性に優れ、作業の安全性を確保することが可能なパネル昇降移動装置として、船殻ブロック作業のような船体の組み立て作業や、その他の大型構造物の組み立て作業に対して広く利用することができる。
【符号の説明】
【００３８】
１  作業定盤
２  パネル
３  昇降部
４  移動部
５  送り昇降部
６  昇降台車
７  第一のアクチュエーター
８  移動台車
９  コンベアー
１０  送り台車
１１  駆動モーター
１２  第二のアクチュエーター
１３  作業定盤の端部
１４  押しブロック
１５  緊張装置
１６  受けローラー
１７  位置決めローラー
１８  位置決めブラケット
１９  窪み
【図１】
0003204840.tif 000003
【図２】
0003204840.tif 000004
【図３】
0003204840.tif 000005
【図４】
0003204840.tif 000006
【図５】
0003204840.tif 000007
【図６】
0003204840.tif 000008
【図７】
0003204840.tif 000009